(57)【要約】【課題】小さな力でも容易に蓋部を開けることができるとともに、蓋部の閉状態を確実に維持することのできる包装箱を提供すること。【解決手段】蓋部９０から連設された差込み片部１００には、突状部１０２が設けられて、突状部１０２と蓋部９０の間に切欠部Ｋ３が設けられ、差込み片部１００の先端側には角部１０４を設けられ、角部１０４から突状部１０２にかけて傾斜して形成された辺部１００ｄが設けられている。正面部１０と正面フラップ７０との連設部位には開口部Ｋが設けられ、開口部Ｋは、正面部１０に形成された切欠部Ｋ１と、正面フラップ７０に設けられた切欠部Ｋ２とを有し、切欠部Ｋ２は、切欠部Ｋ２ａと切欠部Ｋ２ｂとを有し、切欠部Ｋ２ｂの幅は差込み片部１００が差し込み可能に設けられ、切欠部Ｋ２ａの幅は切欠部Ｋ２ｂの幅よりも大きく形成されている。【選択図】図６
2016097985.tif 000002
【特許請求の範囲】
【請求項１】
正面部（１０）と右側面部（２０）と左側面部（３０）と背面部（４０）と底面部（６０）とを有する箱本体部（３）と、背面部の上辺から折れ線を介して連設された蓋部（９０）と、蓋部の先端側の辺部から折れ線を介して連設された差込み片部（１００）と、正面部の上辺から折れ線を介して連設された正面フラップ（７０）とを有する包装箱であって、
包装箱がシート状のブランクにより形成され、
正面フラップの正面部側の辺部に沿って形成された切欠部（Ｋ２）と、正面部の正面フラップ側の辺部とにより囲まれた開口部が、左右方向において、正面部と正面フラップ間の折れ線で左右方向における一方の側である第１の側の折れ線である第１折れ線（Ｃ１０ａ）と左右方向における他方の側である第２の側の折れ線である第２折れ線（Ｃ１０ｂ）間に形成され、
切欠部には、切欠部の第１の側の端部を形成する辺部である第１端部辺部（７０ａ）と、左右方向に形成された辺部である左右方向辺部（７０ｂ、７０ｄ、７０ｆ）と、切欠部の第２の側の端部を形成する第２端部辺部（７０ｅ）とが形成され、
差込み片部は、第１の側に突出した突状部である係合用突状部（１０２）と、差込み片部の蓋部側とは反対側の先端側に突設された先端側角部（１０４）と、係合用突状部と先端側角部間に形成され、差込み片部の第２の側にいくほど先端側となるように傾斜して形成された辺部である傾斜辺部（１００ｄ）とを有し、係合用突状部と蓋部の先端側の辺部の間には、係合用切欠部（Ｋ３）が形成され、
係合用突状部の第１の側の端部は、左右方向において、切欠部の第１の側の端部よりも第１の側にあり、先端側角部は、左右方向において、切欠部の第１の側の端部から第２の側の端部までの範囲にあり、
蓋部を閉状態にする際には、先端側角部を切欠部に進入させると、傾斜辺部が第１辺部に当接し、さらに、差込み片部を下降させて、傾斜辺部が第１辺部に当接しながら下降することにより、差込み片部が蓋部の先端側とともに第２の側にスライドしながら下降し、係合用突状部が第１辺部を通過すると、蓋部の先端側が第２の側にスライドする前の状態に復帰することにより、正面フラップにおける第１辺部の第１の側に隣接する領域である係合領域が係合用切欠部に挿入して、係合用突状部と該係合領域とが係合して、包装箱が閉状態でロックされ、
包装箱が閉状態でロックされた状態からロックを解除する際には、第２の側に蓋部の先端側をスライドさせることにより、差込み片部が第２の側に移動して、係合用突状部と該係合領域の係合が解除されることを特徴とする包装箱。
【請求項２】
正面部（１０）と右側面部（２０）と左側面部（３０）と背面部（４０）と底面部（６０）とを有する箱本体部（３）と、背面部の上辺から折れ線を介して連設された蓋部（９０）と、蓋部の先端側の辺部から折れ線を介して連設された差込み片部（１００）と、正面部の上辺から折れ線を介して連設された正面フラップ（７０）とを有する包装箱であって、
包装箱がシート状のブランクにより形成され、
正面フラップの正面部側の辺部に沿って形成された切欠部（Ｋ２）と、正面部の正面フラップ側の辺部とにより囲まれた開口部が、左右方向において、正面部と正面フラップ間の折れ線で左右方向における一方の側である第１の側の折れ線である第１折れ線（Ｃ１０ａ）と左右方向における他方の側である第２の側の折れ線である第２折れ線（Ｃ１０ｂ）間に形成され、
切欠部は、第１の側に設けられた第１切欠き構成部（Ｋ２ａ）と、第１切欠き構成部から第２の側に連設された第２切欠き構成部（Ｋ２ｂ）とを有し、
第１切欠き構成部には、第１切欠き構成部の第１の側の端部を形成する第１辺部（７０ａ）と、左右方向に形成された第２辺部（７０ｂ）と、第２辺部の第２の側の端部から連設された第３辺部（７０ｃ）とが形成され、第２切欠き構成部には、第３辺部の第２辺部とは反対側の端部から連設され、左右方向に形成された第４辺部（７０ｄ）と、第２切欠き構成部の第２の側の端部を形成する第５辺部（７０ｅ）とが形成され、第１切欠き構成部の幅で、第１切欠き構成部の第２辺部に沿った領域における正面フラップの先端と基端間の方向で左右方向に対する直角方向である先端基端間方向の幅である第１の幅（ＮＫ２ａ）が、第２切欠き構成部の幅で、第２切欠き構成部の第４辺部に沿った領域における先端基端間方向の幅である第２の幅（ＮＫ２ｂ）よりも長く形成され、第２の幅は、差込み片部が差込み可能に差込み片部の厚み以上の幅を有し、
差込み片部は、第１の側に突出した突状部である係合用突状部（１０２）と、差込み片部の蓋部側とは反対側の先端側に突設された先端側角部（１０４）と、係合用突状部と先端側角部間に形成され、差込み片部の第２の側にいくほど先端側となるように傾斜して形成された辺部である第１の側形成辺部（１００ｄ）と、先端側角部よりも第２の側に形成された第２の側形成辺部（１００ｆ）とを有し、係合用突状部と蓋部の先端側の辺部の間には、係合用切欠部（Ｋ３）が形成され、
係合用突状部の第１の側の端部は、左右方向において、第１切欠き構成部の第１の側の端部よりも第１の側にあり、先端側角部は、左右方向において、第１切欠き構成部における第２辺部の第１の側の端部から第２の側の端部までの範囲にあり、
蓋部を閉状態にする際には、先端側角部を第１切欠き構成部内に進入させるとともに第２の側形成辺部を第３辺部に当接させた状態で差込み片部を正面側にスライドさせると、第２の側形成辺部が第２切欠き構成部に進入するとともに、第１の側形成辺部が第１辺部に当接し、さらに、差込み片部を下降させて、第１の側形成辺部が第１辺部に当接しながら下降することにより、差込み片部が蓋部の先端側とともに第２の側にスライドしながら下降し、係合用突状部が第１辺部を通過すると、蓋部の先端側が第２の側にスライドする前の状態に復帰することにより、正面フラップにおける第１辺部の第１の側に隣接する領域である係合領域（７０Ｒ）が係合用切欠部に挿入して、係合用突状部と該係合領域とが係合して、包装箱が閉状態でロックされ、
包装箱が閉状態でロックされた状態からロックを解除する際には、第２の側に蓋部の先端側をスライドさせることにより、差込み片部が第２の側に移動して、係合用突状部と該係合領域の係合が解除されることを特徴とする包装箱。
【請求項３】
正面部の正面フラップ側の端部には、第１折れ線と第２折れ線の間に、第１折れ線及び第２折れ線よりも上方に突出した正面部突状部（１４ａ、１４ｂ、１４ｃ）が形成され、先端側突状部が、左右方向において、正面部突状部の第１の側の端部から第２の側の端部までの範囲にあることを特徴とする請求項２に記載の包装箱。
【請求項４】
正面部突状部は、第１の側に設けられ、第２辺部に対向して設けられた第１正面部突状部（１４ａ）と第１正面部突状部と左右方向に間隔を介して設けられ、第４辺部に対向して設けられた第２正面部突状部（１４ｂ）とを有し、第１正面部突状部と第２正面部突状部の間には、第２切欠部（Ｋ１）が形成され、
第２切欠部の第１の側の端部は、左右方向において、第２辺部における第１の側の端部から第２の側の端部までの途中位置に対向した位置に設けられ、第２切欠部の第２の側の端部は、左右方向において、第４辺部における第１の側の端部から第２の側の端部までの途中位置に対向した位置に設けられ、
先端側突状部が、左右方向において、第１正面部突状部の第１の側の端部から第２の側の端部までの範囲にあり、
包装箱が閉状態でロックされた状態では、第１正面部突状部の少なくとも一部の背面側と第２正面部突状部の少なくとも一部の背面側に差込み片部が位置する請求項３に記載の包装箱。
【請求項５】
第２の側形成辺部の第２の側に、先端側角部よりも基端側に形成された基端側角部（１０６）が形成され、
基端側角部は、左右方向において、第２切欠き構成部における第１の側の端部から第２切欠部の第２の側の端部までの範囲にあることを特徴とする請求項４に記載の包装箱。
【請求項６】
第２の側形成辺部（１００ｆ）が、差込み片部の第２の側にいくほど基端側となるように傾斜して形成されていることを特徴とする請求項２又は３又は４又は５に記載の包装箱。
【請求項７】
第３辺部が、第２の側にいくほど正面フラップの基端側となるように左右方向に対して傾斜していることを特徴とする請求項２又は３又は４又は５又は６に記載の包装箱。
【請求項８】
係合用突状部と該係合領域との係合が解除された状態である自然状態では、蓋部は、先端側の辺部が正面側斜め上方を向くように傾斜し、正面フラップは、先端側の辺部が背面側斜め上方を向くように傾斜していることを特徴とする請求項１又は２又は３又は４又は５又は６又は７に記載の包装箱。
【請求項９】
蓋部における先端側の領域で、左右方向において差込み片部が連設された領域には、蓋部を開状態にする際に指を係止する指係止部（１１０）が設けられていることを特徴とする請求項１又は２又は３又は４又は５又は６又は７又は８に記載の包装箱。
【請求項１０】
正面部（１０）と右側面部（２０）と左側面部（３０）と背面部（４０）と底面部（６０）とを有する箱本体部（３）と、背面部の上辺から折れ線を介して連設された蓋部（９０）と、蓋部の先端側の辺部から折れ線を介して連設された差込み片部（１００）と、正面部の上辺から折れ線を介して連設された正面フラップ（７０）とを有する包装箱であって、
包装箱がシート状のブランクにより形成され、
正面フラップの正面部側の辺部に沿って形成された第１切欠部（Ｋ２）と、正面部の正面フラップ側の辺部に沿って形成された第２切欠部（Ｋ１）とからなる開口部（Ｋ）が、左右方向において、正面部と正面フラップ間の折れ線で左右方向における一方の側である第１の側の折れ線である第１折れ線（Ｃ１０ａ）と左右方向における他方の側である第２の側の折れ線である第２折れ線（Ｃ１０ｂ）間に形成され、
第１切欠部は、第１の側に設けられた第１切欠き構成部（Ｋ２ａ）と、第１切欠き構成部から第２の側に連設された第２切欠き構成部（Ｋ２ｂ）とを有し、
第１切欠き構成部には、第１切欠き構成部の第１の側の端部を形成し左右方向に対する略直角方向に形成された第１辺部（７０ａ）と、左右方向に形成された第２辺部（７０ｂ）と、第２辺部の第２の側の端部から連設され、第２の側にいくほど正面フラップの基端側となるように左右方向に対して傾斜した第３辺部（７０ｃ）とが形成され、第２切欠き構成部には、第３辺部の第２の側の端部から連設され、左右方向に形成された第４辺部（７０ｄ）と、第２切欠き構成部の第２の側の端部を形成する第５辺部（７０ｅ）とが形成され、第１切欠き構成部の幅で、第１切欠き構成部の第２辺部に沿った領域における正面フラップの先端と基端間の方向で左右方向に対する直角方向である先端基端間方向の幅である第１の幅（ＮＫ２ａ）が、第２切欠き構成部の幅で、第２切欠き構成部の第４辺部に沿った領域における先端基端間方向の幅である第２の幅（ＮＫ２ｂ）よりも長く形成され、第２の幅は、差込み片部が差込み可能に差込み片部の厚み以上の幅を有し、
正面部の正面フラップ側の端部には、第１折れ線よりも上方に突出した突状部である第１正面部突状部（１４ａ）が、第２切欠部の第１の側に第２切欠部に隣接して第２辺部に対向して設けられ、第２折れ線よりも上方に突出した突状部である第２正面部突状部（１４ｂ）が、第２切欠部の第２の側に第２切欠部に隣接して第４辺部と対向して設けられ、
第２切欠部の第１の側の端部は、左右方向において、第２辺部における第１の側の端部から第２の側の端部までの途中位置に対向した位置に設けられ、第２切欠部の第２の側の端部は、左右方向において、第４辺部における第１の側の端部から第２の側の端部までの途中位置に対向した位置に設けられ、
差込み片部は、第１の側に突出した突状部である係合用突状部（１０２）と、差込み片部の蓋部側とは反対側の先端側に突設された第１角部（１０４）と、第１角部よりも第２の側に形成され、第１角部よりも基端側に形成された第２角部（１０６）と、係合用突状部と第１角部間に形成され、差込み片部の第２の側にいくほど先端側となるように傾斜して形成された辺部である第１傾斜辺部（１００ｄ）と、第１角部と第２角部の間に形成され、差込み片部の第２の側にいくほど基端側となるように傾斜して形成された辺部である第２傾斜辺部（１００ｆ）とを有し、係合用突状部と蓋部の先端側の辺部の間には、第３切欠部（Ｋ３）が形成され、
係合用突状部の第１の側の端部は、左右方向において、第１切欠き構成部の第１の側の端部よりも第１の側にあり、第１角部は、左右方向において、第１切欠き構成部における第２辺部の第１の側の端部から第２の側の端部までの範囲にあるとともに、第１正面部突状部の第１の側の端部から第２の側の端部までの範囲にあり、第２角部は、左右方向において、第２切欠き構成部における第１の側の端部から第２切欠部の第２の側の端部までの範囲にあり、
蓋部における先端側の領域で、左右方向において差込み片部が連設された領域には、蓋部を開状態にする際に指を係止する指係止部（１１０）が設けられ、
係合用突状部と正面フラップにおける第１辺部の第１の側に隣接する領域である係合領域（７０Ｒ）との係合が解除された状態である自然状態では、蓋部は、先端側の辺部が正面側斜め上方を向くように傾斜し、正面フラップは、先端側の辺部が背面側斜め上方を向くように傾斜し、
蓋部を閉状態にする際には、第１角部を第１切欠き構成部内に進入させるとともに第２傾斜辺部を第３辺部に当接させた状態で差込み片部を下降させると、第２傾斜辺部が、先端側の辺部が背面側斜め上方を向くように傾斜した正面フラップの第３辺部に当接しながら正面側にスライドして第２切欠き構成部に進入するとともに、第１傾斜辺部が第１辺部に当接し、さらに、差込み片部を下降させて、第１傾斜辺部が第１辺部に当接しながら下降することにより、差込み片部が蓋部の先端側とともに第２の側にスライドしながら下降し、差込み片部の第２の側の領域は第２突状部と第４辺部の間の隙間に進入し、係合用突状部が第１辺部を通過すると、蓋部の先端側が第２の側にスライドする前の状態に復帰することにより、正面フラップにおける該係合領域（７０Ｒ）が第３切欠部に挿入して、係合用突状部と該係合領域とが係合して、包装箱が閉状態でロックされ、包装箱が閉状態でロックされた状態では、第１正面部突状部の少なくとも一部の背面側と第２正面部突状部の少なくとも一部の背面側に差込み片部が位置し、
包装箱が閉状態でロックされた状態から蓋部を開状態にする際には、指係止部に指を掛止させて、第２の側に蓋部の先端側をスライドさせることにより、差込み片部が第２の側に移動して、係合用突状部と該係合領域の係合が解除され、蓋部が自然状態に復帰しようとすることにより蓋部の先端側の辺部が上方に回動することを特徴とする包装箱。
【請求項１１】
指係止部が、蓋部に形成された開口部又は蓋部から差込み片部にかけて形成された開口部であることを特徴とする請求項９又は１０に記載の包装箱。
【発明の詳細な説明】
【技術分野】
【０００１】
本発明は、包装箱に関するものであり、特に、蓋部を確実にロックできるとともに、開封も容易な包装箱に関するものである。
【背景技術】
【０００２】
従来から、蓋部を確実にロックすることができるとともに、開封も容易にすることのできる包装箱が種々知られており、例えば図１５、図１６に示す包装箱や、特許文献１に記載の段ボール箱が存在する。
【０００３】
図１５、図１６に示す包装箱は、蓋部９０の先端に突出部１２０を形成し、一方、この突出部１２０が挿入できる長孔１３０を正面部１０の横フラップ１３２の開閉支点部に形成し、長孔１３０の下方に半円状の切欠き１３４を形成したものである。この先行技術では、図１３に示すような閉状態の包装箱１４０から蓋部９０を開ける際には、切欠き１３４奥側に露呈されている蓋部９０の先端の突出部１２０に指を押し当てながら蓋部９０を上方に押し上げるようにするものである。
【０００４】
特許文献１に記載の段ボール箱においては、アウターフラップ３の先端に突出部５を形成し、この突出部５が挿入できる長孔６をインナーフラップ４の開閉支点部に形成し、長孔６の中程より下方に下側が支点となる第１の切り起こし７を形成し、この第１の切り起こし７の内側に上側が支点となる第２の切り起こし８を形成し、さらに、この第２の切り起こし８が嵌入できる嵌合孔９を突出部５に形成したものである。この従来例では、その図１及び図２に示されるように、第１切り起こし７の上辺を指で手前に引くことにより第２切り起こし８の下部がアウターフラップ３にある嵌合孔９より外側に移動しロックが外れ段ボール箱１ａを開けることができるものである。
【先行技術文献】
【特許文献】
【０００５】
【特許文献１】特開平８−７２８６７号公報（図１、図２）
【発明の概要】
【発明が解決しようとする課題】
【０００６】
図１５、図１６の包装箱では、切欠き１３４奥に位置する突出部１２０表面の一部に指を押し当てて蓋部９０を押し上げることにより蓋部９０を開けることとしているため、突出部１２０と正面部１０との摩擦力が強い場合や、力の弱い高齢者等が蓋部９０を開ける場合には、開ける作業が容易ではなかった。特に大きい包装箱では突出部１２０と正面部１０との接触面積が広く摩擦力も大きくなり、切欠き１３４奥のわずかな１点に力をかけて蓋部９０を開けるには、蓋部９０を開ける際に指先に必要となる力が相当の大きさになり、開ける作業が困難であった。また、長孔１３０に挿入される突出部１２０は長孔１３０に対してロックされた状態ではないので、突出部１２０の正面部１０に対する固定が確実とはならないおそれもあった。
【０００７】
また、特許文献１に記載の段ボール箱では、第２の切り起こし８の嵌合孔９への嵌入が外れるおそれがあり、アウターフラップ３が意図せず開いてしまったり、逆に、第１の切り起こし７を手前に引いても第２の切り起こし８が嵌合孔９から外れなかったりして、アウターフラップ３の開閉に確実性がなかった。
【０００８】
そこで、本発明が解決しようとする課題は、前述した先行技術の問題点を解決するものであり、小さな力でも容易に蓋部を開けることができるとともに、蓋部の閉状態を確実に維持することのできる包装箱を提供することである。
【課題を解決するための手段】
【０００９】
本発明は上記問題点を解決するために創作されたものであって、第１には、正面部（１０）と右側面部（２０）と左側面部（３０）と背面部（４０）と底面部（６０）とを有する箱本体部（３）と、背面部の上辺から折れ線を介して連設された蓋部（９０）と、蓋部の先端側の辺部から折れ線を介して連設された差込み片部（１００）と、正面部の上辺から折れ線を介して連設された正面フラップ（７０）とを有する包装箱であって、包装箱がシート状のブランクにより形成され（「１枚のシート状ブランクにより形成され」としてもよい）、正面フラップの正面部側の辺部に沿って形成された切欠部（Ｋ２）と、正面部の正面フラップ側の辺部とにより囲まれた開口部が、左右方向において、正面部と正面フラップ間の折れ線で左右方向における一方の側である第１の側の折れ線である第１折れ線（Ｃ１０ａ）と左右方向における他方の側である第２の側の折れ線である第２折れ線（Ｃ１０ｂ）間に形成され、切欠部には、切欠部の第１の側の端部を形成する辺部である第１端部辺部（７０ａ）と、左右方向に形成された辺部である左右方向辺部（７０ｂ、７０ｄ、７０ｆ）と、切欠部の第２の側の端部を形成する第２端部辺部（７０ｅ）とが形成され、差込み片部は、第１の側に突出した突状部である係合用突状部（１０２）と、差込み片部の蓋部側とは反対側の先端側に突設された先端側角部（１０４）と、係合用突状部と先端側角部間に形成され、差込み片部の第２の側にいくほど先端側となるように傾斜して形成された辺部である傾斜辺部（１００ｄ）とを有し、係合用突状部と蓋部の先端側の辺部の間には、係合用切欠部（Ｋ３）が形成され、係合用突状部の第１の側の端部は、左右方向において、切欠部の第１の側の端部よりも第１の側にあり、先端側角部は、左右方向において、切欠部の第１の側の端部から第２の側の端部までの範囲にあり、蓋部を閉状態にする際には、先端側角部を切欠部に進入させると、傾斜辺部が第１辺部に当接し、さらに、差込み片部を下降させて、傾斜辺部が第１辺部に当接しながら下降することにより、差込み片部が蓋部の先端側とともに第２の側にスライドしながら下降し、係合用突状部が第１辺部を通過すると、蓋部の先端側が第２の側にスライドする前の状態に復帰することにより、正面フラップにおける第１辺部の第１の側に隣接する領域である係合領域（７０Ｒ）が係合用切欠部に挿入して、係合用突状部と該係合領域とが係合して、包装箱が閉状態でロックされ、包装箱が閉状態でロックされた状態からロックを解除する際には、第２の側に蓋部の先端側をスライドさせることにより、差込み片部が第２の側に移動して、係合用突状部と該係合領域の係合が解除されることを特徴とする。
【００１０】
第１の構成の包装箱によれば、蓋部を横方向にスライドさせるのみで、包装箱のロックを解除させることができ、ロックが解除されたら蓋部を上方に回動させればよいので、小さな力でも容易に蓋部を開けることができる。
【００１１】
また、蓋部を閉状態にする際に、差込み片部と蓋部の先端側の辺部を横方向にスライドさせることにより歪んだ包装箱が復帰する力を利用して、係合用突状部と係合領域を係合させるので、差込みフラップを下降させるのみで自然にロックが行われ、よって、蓋部の閉状態を確実に維持させることができる。
【００１２】
また、第２には、正面部（１０）と右側面部（２０）と左側面部（３０）と背面部（４０）と底面部（６０）とを有する箱本体部（３）と、背面部の上辺から折れ線を介して連設された蓋部（９０）と、蓋部の先端側の辺部から折れ線を介して連設された差込み片部（１００）と、正面部の上辺から折れ線を介して連設された正面フラップ（７０）とを有する包装箱であって、包装箱がシート状のブランクにより形成され（「１枚のシート状ブランクにより形成され」としてもよい）、正面フラップの正面部側の辺部に沿って形成された切欠部（Ｋ２）と、正面部の正面フラップ側の辺部とにより囲まれた開口部が、左右方向において、正面部と正面フラップ間の折れ線で左右方向における一方の側である第１の側の折れ線である第１折れ線（Ｃ１０ａ）と左右方向における他方の側である第２の側の折れ線である第２折れ線（Ｃ１０ｂ）間に形成され、切欠部は、第１の側に設けられた第１切欠き構成部（Ｋ２ａ）と、第１切欠き構成部から第２の側に連設された第２切欠き構成部（Ｋ２ｂ）とを有し、第１切欠き構成部には、第１切欠き構成部の第１の側の端部を形成する第１辺部（７０ａ）と、左右方向に形成された第２辺部（７０ｂ）と、第２辺部の第２の側の端部から連設された第３辺部（７０ｃ）とが形成され、第２切欠き構成部には、第３辺部の第２辺部とは反対側の端部から連設され、左右方向に形成された第４辺部（７０ｄ）と、第２切欠き構成部の第２の側の端部を形成する第５辺部（７０ｅ）とが形成され、第１切欠き構成部の幅で、第１切欠き構成部の第２辺部に沿った領域における正面フラップの先端と基端間の方向で左右方向に対する直角方向である先端基端間方向の幅である第１の幅（ＮＫ２ａ）が、第２切欠き構成部の幅で、第２切欠き構成部の第４辺部に沿った領域における先端基端間方向の幅である第２の幅（ＮＫ２ｂ）よりも長く形成され、第２の幅は、差込み片部が差込み可能に差込み片部の厚み以上の幅を有し、差込み片部は、第１の側に突出した突状部である係合用突状部（１０２）と、差込み片部の蓋部側とは反対側の先端側に突設された先端側角部（１０４）と、係合用突状部と先端側角部間に形成され、差込み片部の第２の側にいくほど先端側となるように傾斜して形成された辺部である第１の側形成辺部（１００ｄ）と、先端側角部よりも第２の側に形成された第２の側形成辺部（１００ｆ）とを有し、係合用突状部と蓋部の先端側の辺部の間には、係合用切欠部（Ｋ３）が形成され、係合用突状部の第１の側の端部は、左右方向において、第１切欠き構成部の第１の側の端部よりも第１の側にあり、先端側角部は、左右方向において、第１切欠き構成部における第２辺部の第１の側の端部から第２の側の端部までの範囲にあり、蓋部を閉状態にする際には、先端側角部を第１切欠き構成部内に進入させるとともに第２の側形成辺部を第３辺部に当接させた状態で差込み片部を正面側にスライドさせると、第２の側形成辺部が第２切欠き構成部に進入するとともに、第１の側形成辺部が第１辺部に当接し、さらに、差込み片部を下降させて、第１の側形成辺部が第１辺部に当接しながら下降することにより、差込み片部が蓋部の先端側とともに第２の側にスライドしながら下降し、係合用突状部が第１辺部を通過すると、蓋部の先端側が第２の側にスライドする前の状態に復帰することにより、正面フラップにおける第１辺部の第１の側に隣接する領域である係合領域（７０Ｒ）が係合用切欠部に挿入して、係合用突状部と該係合領域とが係合して、包装箱が閉状態でロックされ、包装箱が閉状態でロックされた状態からロックを解除する際には、第２の側に蓋部の先端側をスライドさせることにより、差込み片部が第２の側に移動して、係合用突状部と該係合領域の係合が解除されることを特徴とする。
【００１３】
第２の構成の包装箱によれば、蓋部を横方向にスライドさせるのみで、包装箱のロックを解除させることができ、ロックが解除されたら蓋部を上方に回動させればよいので、小さな力でも容易に蓋部を開けることができる。
【００１４】
また、蓋部を閉状態にする際に、差込み片部と蓋部の先端側の辺部を横方向にスライドさせることにより歪んだ包装箱が復帰する力を利用して、係合用突状部と係合領域を係合させるので、差込みフラップを下降させるのみで自然にロックが行われ、よって、蓋部の閉状態を確実に維持させることができる。また、第１切欠き構成部は幅広に形成されているので、先端側角部を容易に第１切欠き構成部に挿入させることができる。
【００１５】
また、第３には、上記第２の構成において、正面部の正面フラップ側の端部には、第１折れ線と第２折れ線の間に、第１折れ線及び第２折れ線よりも上方に突出した正面部突状部（１４ａ、１４ｂ、１４ｃ）が形成され、先端側突状部が、左右方向において、正面部突状部の第１の側の端部から第２の側の端部までの範囲にあることを特徴とする。
【００１６】
よって、第２の側形成辺部を第３辺部に当接させた状態で差込み片部を正面側にスライドさせた場合に、先端側角部が正面部突状部に接触して、正面部側へのスライドが遮られるので、確実に差込み片部を第２切欠き構成部内に進入させることができる。
【００１７】
また、第４には、上記第３の構成において、正面部突状部は、第１の側に設けられ、第２辺部に対向して設けられた第１正面部突状部（１４ａ）と第１正面部突状部と左右方向に間隔を介して設けられ、第４辺部に対向して設けられた第２正面部突状部（１４ｂ）とを有し、第１正面部突状部と第２正面部突状部の間には、第２切欠部（Ｋ１）が形成され、第２切欠部の第１の側の端部は、左右方向において、第２辺部における第１の側の端部から第２の側の端部までの途中位置に対向した位置に設けられ、第２切欠部の第２の側の端部は、左右方向において、第４辺部における第１の側の端部から第２の側の端部までの途中位置に対向した位置に設けられ、先端側突状部が、左右方向において、第１正面部突状部の第１の側の端部から第２の側の端部までの範囲にあり、包装箱が閉状態でロックされた状態では、第１正面部突状部の少なくとも一部の背面側と第２正面部突状部の少なくとも一部の背面側に差込み片部が位置する。
【００１８】
第４の構成においては、第２切欠部が設けられているので、第２の側形成辺部が第２切欠き構成部内に入り込む際に、正面部の上辺に引っ掛かって第２切欠き構成部に入りにくくなることがない。
【００１９】
また、第５には、上記第４の構成において、第２の側形成辺部の第２の側に、先端側角部よりも基端側に形成された基端側角部（１０６）が形成され、基端側角部は、左右方向において、第２切欠き構成部における第１の側の端部から第２切欠部の第２の側の端部までの範囲にあることを特徴とする。
【００２０】
第５の構成においては、基端側角部が切欠部（Ｋ２）の位置に到達した際には、左右方向において、第４辺部の第１の側の端部から第２切欠部の第２の側の端部までの範囲にあるので、基端側角部が第２切欠き構成部内に入り込む際に、正面部の上辺に引っ掛かって第２切欠き構成部に入りにくくなることがない。
【００２１】
また、第６には、上記第２から第５までのいずれかの構成において、第２の側形成辺部（１００ｆ）が、差込み片部の第２の側にいくほど基端側となるように傾斜して形成されていることを特徴とする。よって、第２の側形成辺部が、第３辺部に当接しやすく、第３辺部に沿って正面側にスライドさせやすくすることができる。
【００２２】
また、第７には、上記第２から第６までのいずれかの構成において、第３辺部が、第２の側にいくほど正面フラップの基端側となるように左右方向に対して傾斜していることを特徴とする。よって、第２の側形成辺部が第３辺部に沿ってスライドする際に、第３辺部と第４辺部の角部に第２の側形成辺部が引っ掛かるのを防止でき、差込み片部を第２切欠き構成部に導きやすい。
【００２３】
また、第８には、上記第１から第７までのいずれかの構成において、係合用突状部と該係合領域との係合が解除された状態である自然状態では、蓋部は、先端側の辺部が正面側斜め上方を向くように傾斜し、正面フラップは、先端側の辺部が背面側斜め上方を向くように傾斜していることを特徴とする。
【００２４】
よって、係合用突状部と係合領域の係合が解除されると、差込み片部が開口部に対して上昇するので、あとは蓋部を回動させて開状態にすればよく、蓋部を開状態するのを容易とすることができる。
【００２５】
また、第９には、上記第１から第８までのいずれかの構成において、蓋部における先端側の領域で、左右方向において差込み片部が連設された領域には、蓋部を開状態にする際に指を係止する指係止部（１１０）が設けられていることを特徴とする。
【００２６】
また、第１０には、正面部（１０）と右側面部（２０）と左側面部（３０）と背面部（４０）と底面部（６０）とを有する箱本体部（３）と、背面部の上辺から折れ線を介して連設された蓋部（９０）と、蓋部の先端側の辺部から折れ線を介して連設された差込み片部（１００）と、正面部の上辺から折れ線を介して連設された正面フラップ（７０）とを有する包装箱であって、包装箱がシート状のブランクにより形成され（「１枚のシート状ブランクにより形成され」としてもよい）、正面フラップの正面部側の辺部に沿って形成された第１切欠部（Ｋ２）と、正面部の正面フラップ側の辺部に沿って形成された第２切欠部（Ｋ１）とからなる開口部（Ｋ）が、左右方向において、正面部と正面フラップ間の折れ線で左右方向における一方の側である第１の側の折れ線である第１折れ線（Ｃ１０ａ）と左右方向における他方の側である第２の側の折れ線である第２折れ線（Ｃ１０ｂ）間に形成され、第１切欠部は、第１の側に設けられた第１切欠き構成部（Ｋ２ａ）と、第１切欠き構成部から第２の側に連設された第２切欠き構成部（Ｋ２ｂ）とを有し、第１切欠き構成部には、第１切欠き構成部の第１の側の端部を形成し左右方向に対する略直角方向に形成された第１辺部（７０ａ）と、左右方向に形成された第２辺部（７０ｂ）と、第２辺部の第２の側の端部から連設され、第２の側にいくほど正面フラップの基端側となるように左右方向に対して傾斜した第３辺部（７０ｃ）とが形成され、第２切欠き構成部には、第３辺部の第２の側の端部から連設され、左右方向に形成された第４辺部（７０ｄ）と、第２切欠き構成部の第２の側の端部を形成する第５辺部（７０ｅ）とが形成され、第１切欠き構成部の幅で、第１切欠き構成部の第２辺部に沿った領域における正面フラップの先端と基端間の方向で左右方向に対する直角方向である先端基端間方向の幅である第１の幅（ＮＫ２ａ）が、第２切欠き構成部の幅で、第２切欠き構成部の第４辺部に沿った領域における先端基端間方向の幅である第２の幅（ＮＫ２ｂ）よりも長く形成され、第２の幅は、差込み片部が差込み可能に差込み片部の厚み以上の幅を有し、正面部の正面フラップ側の端部には、第１折れ線よりも上方に突出した突状部である第１正面部突状部（１４ａ）が、第２切欠部の第１の側に第２切欠部に隣接して第２辺部に対向して設けられ、第２折れ線よりも上方に突出した突状部である第２正面部突状部（１４ｂ）が、第２切欠部の第２の側に第２切欠部に隣接して第４辺部と対向して設けられ、第２切欠部の第１の側の端部は、左右方向において、第２辺部における第１の側の端部から第２の側の端部までの途中位置に対向した位置に設けられ、第２切欠部の第２の側の端部は、左右方向において、第４辺部における第１の側の端部から第２の側の端部までの途中位置に対向した位置に設けられ、差込み片部は、第１の側に突出した突状部である係合用突状部（１０２）と、差込み片部の蓋部側とは反対側の先端側に突設された第１角部（１０４）と、第１角部よりも第２の側に形成され、第１角部よりも基端側に形成された第２角部（１０６）と、係合用突状部と第１角部間に形成され、差込み片部の第２の側にいくほど先端側となるように傾斜して形成された辺部である第１傾斜辺部（１００ｄ）と、第１角部と第２角部の間に形成され、差込み片部の第２の側にいくほど基端側となるように傾斜して形成された辺部である第２傾斜辺部（１００ｆ）とを有し、係合用突状部と蓋部の先端側の辺部の間には、第３切欠部（Ｋ３）が形成され、係合用突状部の第１の側の端部は、左右方向において、第１切欠き構成部の第１の側の端部よりも第１の側にあり、第１角部は、左右方向において、第１切欠き構成部における第２辺部の第１の側の端部から第２の側の端部までの範囲にあるとともに、第１正面部突状部の第１の側の端部から第２の側の端部までの範囲にあり、第２角部は、左右方向において、第２切欠き構成部における第１の側の端部から第２切欠部の第２の側の端部までの範囲にあり、蓋部における先端側の領域で、左右方向において差込み片部が連設された領域には、蓋部を開状態にする際に指を係止する指係止部（１１０）が設けられ、係合用突状部と正面フラップにおける第１辺部の第１の側に隣接する領域である係合領域（７０Ｒ）との係合が解除された状態である自然状態では、蓋部は、先端側の辺部が正面側斜め上方を向くように傾斜し、正面フラップは、先端側の辺部が背面側斜め上方を向くように傾斜し、蓋部を閉状態にする際には、第１角部を第１切欠き構成部内に進入させるとともに第２傾斜辺部を第３辺部に当接させた状態で差込み片部を下降させると、第２傾斜辺部が、先端側の辺部が背面側斜め上方を向くように傾斜した正面フラップの第３辺部に当接しながら正面側にスライドして第２切欠き構成部に進入するとともに、第１傾斜辺部が第１辺部に当接し、さらに、差込み片部を下降させて、第１傾斜辺部が第１辺部に当接しながら下降することにより、差込み片部が蓋部の先端側とともに第２の側にスライドしながら下降し、差込み片部の第２の側の領域は第２突状部と第４辺部の間の隙間に進入し、係合用突状部が第１辺部を通過すると、蓋部の先端側が第２の側にスライドする前の状態に復帰することにより、正面フラップにおける該係合領域（７０Ｒ）が第３切欠部に挿入して、係合用突状部と該係合領域とが係合して、包装箱が閉状態でロックされ、包装箱が閉状態でロックされた状態では、第１正面部突状部の少なくとも一部の背面側と第２正面部突状部の少なくとも一部の背面側に差込み片部が位置し、包装箱が閉状態でロックされた状態から蓋部を開状態にする際には、指係止部に指を掛止させて、第２の側に蓋部の先端側をスライドさせることにより、差込み片部が第２の側に移動して、係合用突状部と該係合領域の係合が解除され、蓋部が自然状態に復帰しようとすることにより蓋部の先端側の辺部が上方に回動することを特徴とする。
【００２７】
第１０の構成においては、蓋部を横方向にスライドさせるのみで、包装箱のロックを解除させることができ、ロックが解除されたら蓋部が自然状態に復帰しようとすることにより蓋部の先端側の辺部が上方に回動するので、小さな力でも容易に蓋部を開けることができる。
【００２８】
また、蓋部を閉状態にする際に、差込み片部と蓋部の先端側の辺部を横方向にスライドさせることにより歪んだ包装箱が復帰する力を利用して、係合用突状部と係合領域を係合させるので、差込みフラップを下降させるのみで自然にロックが行われ、よって、蓋部の閉状態を確実に維持させることができる。また、第１切欠き構成部は幅広に形成されているので、先端側角部を容易に第１切欠き構成部に挿入させることができる。
【００２９】
また、第１突状部が設けられているので、第２傾斜辺部を第３辺部に当接させた状態で差込み片部を正面側にスライドさせた場合に、第１角部が第１突状部に接触して、正面部側へのスライドが遮られるので、確実に差込み片部を第２切欠き構成部内に進入させることができる。
【００３０】
また、第２切欠部が設けられているので、第２傾斜辺部や第２角部が第２切欠き構成部内に入り込む際に、正面部の上辺に引っ掛かって第２切欠き構成部に入りにくくなることがない。
【００３１】
また、第２角部は、左右方向において、第２切欠き構成部における第１の側の端部から第２切欠部の第２の側の端部までの範囲にあるので、第２角部が切欠部（Ｋ２）の位置に到達した際には、左右方向において、第４辺部の第１の側の端部から第２切欠部の第２の側の端部までの範囲にあり、第２角部が第２切欠き構成部内に入り込む際に、正面部の上辺に引っ掛かって第２切欠き構成部に入りにくくなることがない。
【００３２】
また、第２傾斜辺部が、差込み片部の第２の側にいくほど基端側となるように傾斜して形成されているので、第３辺部に当接しやすく、第３辺部に沿って正面側にスライドさせやすくすることができる。
【００３３】
また、第３辺部が、第２の側にいくほど正面フラップの基端側となるように左右方向に対して傾斜しているので、第２傾斜辺部が第３辺部に沿ってスライドする際に、第３辺部と第４辺部の角部に第２傾斜辺部が引っ掛かるのを防止でき、差込み片部を第２切欠き構成部に導きやすい。
【００３４】
また、第１１には、上記第９又は第１０までのいずれかの構成において、指係止部が、蓋部に形成された開口部又は蓋部から差込み片部にかけて形成された開口部であることを特徴とする。
【００３５】
また、以下の構成としてもよい。すなわち、第１２には、上記第１から第１１までのいずれかの構成において、差込み片部が蓋部の左右方向の略中央に設けられ、また、指係止部が左右方向の略中央に設けたことを特徴とする。これらを中央付近に設けることにより、蓋部の係合が左右方向においてバランスよく、蓋部の左右の一方だけが大きくめくりあがり易いということがない。
【発明の効果】
【００３６】
本発明に基づく包装箱によれば、差込み片部（１００ｆ）を開口部（Ｋ）内に安定してスライド嵌合可能に設けることにより、蓋部（９０）を正面フラップ（７０）に確実に固定することができ、差込み片部（１００）を開口部（Ｋ）に対してスライドさせて嵌合・嵌合解除を可能とすることにより、蓋部（９０）の開閉を小さな力でも容易に行うことができる。
【図面の簡単な説明】
【００３７】
【図１】包装箱の蓋部を開いた状態を示す斜視図である。
【図２】図１の要部拡大図である。
【図３】包装箱における正面フラップと正面部の要部拡大図である。
【図４】実施例に基づく包装箱の展開図である。
【図５】図４の要部拡大図である。
【図６】包装箱における左右方向の位置関係を説明するための説明図である。
【図７】包装箱の開状態を示す斜め上方からの正面図である。
【図８】包装箱の差込み片部を差し込む際の状態を示す斜め上方からの正面図である。
【図９】包装箱の閉状態でロックされた状態を示す斜め上方からの正面図である。
【図１０】包装箱を開ける際の使用状態を示す斜視図である。
【図１１】包装箱を開ける際の状態を示す斜め上方からの正面図である。
【図１２】包装箱の開状態を示す斜視図である。
【図１３】包装箱の他の例における左右方向の位置関係を説明するための説明図である。
【図１４】包装箱の他の例における左右方向の位置関係を説明するための説明図である。
【図１５】従来例に基づく包装箱の展開図である。
【図１６】従来例に基づく包装箱の閉状態を示す斜視図である。
【発明を実施するための形態】
【００３８】
本発明においては、蓋部の先端に回動自在に連設された差込み片部を正面部の開口部に差し込むことにより包装箱を閉じる包装箱において、簡単な動作で蓋部を閉じて確実に固定し、また簡単な動作で蓋部を開けることのできる包装箱を提供するという目的を以下のようにして実現した。
【００３９】
本発明に基づく包装箱Ａは、図１〜図６に示すように構成され、スリーブ状部５と、底面部６０と、正面フラップ７０と、横フラップ８２、８４と、蓋部９０と、差込み片部１００とを有しており、包装箱Ａは、１枚のシート状のブランク（具体的には、段ボール製（例えば、薄型段ボール製）のブランクであり、厚紙製のブランク等の他の紙製のブランクでもよい）を組み立てることにより形成されている。つまり、包装箱Ａは、段ボール材（特に、両面段ボール材）等の紙製の箱である。段ボールにおける断面略波形形状の中芯の段の方向は、図４における円内に示す方向（Ｙ１−Ｙ２方向）となっている。なお、図面において、Ｙ１−Ｙ２方向は、Ｘ１−Ｘ２方向に直角な方向を示している。
【００４０】
スリーブ状部５は、図１及び図４に示すように、包装箱Ａの周壁（側面としてもよい）を構成し、方形状の板状の右側面部２０と、右側面部２０の正面側の辺部から折れ線を介して連設された正面部１０と、正面部１０の左側面側（第１の側）の辺部から折れ線を介して連設された方形状の板状の左側面部３０と、左側面部３０の背面側の辺部から折れ線を介して連設され方形状の板状の背面部４０と、背面部４０の右側面側（第２の側）の辺部から折れ線を介して連設された糊代部５０とを有している。
【００４１】
正面部１０は略方形状を呈し、正面部１０の右側面側の辺部と左側面側の辺部とは互いに平行で、正面部１０の下辺と正面フラップ７０との折れ線Ｃ１０とは互いに平行に形成されている。なお、折れ線Ｃ１０は、左側面側の折れ線（第１折れ線）Ｃ１０ａと右側面側の折れ線（第２折れ線）Ｃ１０ｂとから構成されている。折れ線Ｃ１０ａと折れ線Ｃ１０ｂとは、同一直線上に形成されている。正面部１０においては、その上端領域に、突状部（正面部突状部）１４ａ、１４ｂと、切欠部Ｋ１とが設けられているが、詳細は後述する。
【００４２】
また、図４に示すように、左側面部３０は、右側面部２０と略同大同形状に形成されている。また、背面部４０は、正面部１０と略同大同形状に形成されている。また、糊代部５０は、帯状の台形形状に形成されている。糊代部５０は、右側面部２０の内側の面に接着されている。スリーブ状部５は、糊代部５０を右側面部２０に接着させることにより、筒状に形成される。
【００４３】
また、底面部６０は、片部６２と、片部６４と、片部６６と、片部６８とを有している。
【００４４】
片部６２は、右側面部２０の下端から折れ線を介して連設され、台形形状（両側の側辺のうち一方の側辺が右側面部２０の下辺に対して直角の台形形状）の先端に略方形状を連設した形状を呈している。また、片部６４は、正面部１０の下端から折れ線を介して連設され、方形状の先端側において略方形状の切欠部を形成した形状を呈している。また、片部６６は、左側面部３０の下端から折れ線を介して連設され、片部６２に対して対称（線対称）の形状を呈している。また、片部６８は、背面部４０の下端から折れ線を介して連設され、台形形状（両側の側辺が背面部４０の下辺に対して傾斜した台形形状）の先端に略方形状を連設した形状を呈している。このような底面部６０は、Ｂ式底組みタイプと呼ばれていて、アメリカンロック又は地獄底とも呼ばれている。
【００４５】
また、正面フラップ７０は、図２及び図３に示すように、正面部１０の上端から連設されている。正面フラップ７０は、正面部１０の上端から折れ線を介して連設され、台形形状（両側の側辺のうち背面側の側辺が右側面部２０の下辺に対して直角の台形形状）を呈している。正面フラップ７０には、正面側の端部領域に横長の切欠部Ｋ２が設けられているが、詳細は後述する。正面部１０と正面フラップ７０との連設部位には、開口部Ｋが形成されていて、開口部Ｋは、切欠部Ｋ１と切欠部Ｋ２とから構成されている。
【００４６】
正面フラップ７０は、自然状態（外部から力を加えていない状態で、具体的には、突状部１０２と係合領域７０Ｒの係合が解除された状態）で、ブランク（例えば、紙）の復元しようとする力により、正面部１０に対して斜め上方（背面側斜め上方）に傾斜している（図１、図２、図７、図１２参照）。なお、図３は、正面フラップ７０を正面部１０に対して直角にした状態における正面フラップ７０と正面部１０の要部平面図である。
【００４７】
横フラップ８２は、左側面部３０の上端から折れ線を介して連設され、台形形状（両側の側辺のうち背面側の側辺が左側面部３０の下辺に対して直角の台形形状）を呈している。横フラップ８２の左側面部３０の上端から反対側の辺部までの長さは、正面部１０や背面部４０の上下方向の長さの１／２以下の長さに形成されている。
【００４８】
横フラップ８４は、右側面部２０の上端から折れ線を介して連設され、台形形状（両側の側辺のうち背面側の側辺が右側面部２０の下辺に対して直角の台形形状）を呈している。横フラップ８４の右側面部２０の上端から反対側の辺部までの長さは、正面部１０や背面部４０の上下方向の長さの１／２以下の長さに形成されている。
【００４９】
なお、横フラップ８２と横フラップ８４と正面フラップ７０とで上面部８０が構成される。
【００５０】
また、蓋部９０は、背面部４０の上端の辺部から折れ線を介して連設されている。蓋部９０は、略方形状の板状を呈し、左右方向の長さは背面部４０の左右方向の長さと略同一であり、背面部４０の上端の辺部から反対側の辺部までの長さは、右側面部２０や左側面部３０の横方向の長さと略同一となっている。
【００５１】
なお、蓋部９０は自然状態（外部から力を加えていない状態で、具体的には、突状部１０２と係合領域７０Ｒの係合が解除された状態）では、ブランク（例えば、紙）の復元しようとする力により、水平方向（スリーブ状部５の上辺の方向）に対して傾斜した状態となり、図７、図１２に示すように、差込み片部１００の先端と正面部１０の上端（突状部１４ａ、１４ｂの上端）との間に間隔が形成された状態となり、また、蓋部９０の内側の面と自然状態で背面側斜め上方を向く正面フラップ７０の先端との間にも間隔が形成された状態となる。
【００５２】
また、差込み片部１００は、蓋部９０の先端側の辺部９０ａから折れ線Ｃ１００を介して連設されている。また、蓋部９０の先端側の領域と差込み片部１００の蓋部９０側の領域には、開口部（指係止部）１１０が形成されている。つまり、折れ線Ｃ１００は、辺部９０ａの一部と一致している。差込み片部１００と開口部１１０の詳細については後述する。
【００５３】
次に、正面部１０における突状部１４ａ、１４ｂ及び切欠部Ｋ１について詳述する。正面部１０においては、正面フラップ７０との折れ線Ｃ１０ａ、Ｃ１０ｂ間に、２つの突状部１４ａ、１４ｂと、突状部（第１正面部突状部）１４ａと突状部（第２正面部突状部）１４ｂ間に横長に形成された切欠部Ｋ１が設けられている。
【００５４】
すなわち、折れ線Ｃ１０ａの右側面側の端部位置からは、上下方向（折れ線Ｃ１０ａと直角方向）に短く形成された直線状の辺部１０ａと、辺部１０ａの上端から連設され、左右方向（折れ線Ｃ１０の方向と平行な方向）に形成された直線状の辺部１０ｂと、辺部１０ｂの右側面側の端部から連設され、切欠部Ｋ１を形成する辺部１０ｃと、辺部１０ｃの右側面側の端部から連設され、左右方向（折れ線Ｃ１０の方向と平行な方向）に形成された直線状の辺部１０ｄと、辺部１０ｄの右側面側の端部から連設され、上下方向（折れ線Ｃ１０ｂと直角方向）に形成された直線状の辺部１０ｅが形成され、辺部１０ｅの右側面側の端部は、折れ線Ｃ１０ｂの左側面側の端部位置に形成されている。
【００５５】
ここで、辺部１０ａは、折れ線Ｃ１０ａの右側面側の端部から下方に形成された切込みＪ１により形成された部分と、切込みＪ１により形成された部分の延長線上に上方に形成された部分とを有し、全体に上下方向に短く形成されている。
【００５６】
辺部１０ｂは、切欠部Ｋ２ａを構成する辺部７０ｂよりも左右方向に短く形成され、辺部７０ｂの左右方向の長さの略２／３程度の長さに形成されている。
【００５７】
辺部１０ｃは、辺部１０ｂの右側面側の端部から連設された直線状の辺部（傾斜辺）１２ａと、辺部１２ａの右側面側の端部（下端）から連設された略円弧状の辺部１２ｂと、辺部１２ｂの右側面側の端部（下端）から連設され、左右方向（折れ線Ｃ１０の方向と平行な方向）に形成された直線状の辺部１２ｃと、辺部１２ｃの右側面側の端部から連設された略円弧状の辺部１２ｄと、辺部１２ｄの右側面側の端部（上端）から連設された直線状の辺部（傾斜辺）１２ｅとを有している。
【００５８】
ここで、辺部１２ａは、右側面側にいくに従い下方となるように折れ線Ｃ１０の方向に対して傾斜しており、また、辺部１２ｅは、右側面側にいくに従い上方となるように折れ線Ｃ１０の方向に対して傾斜している。辺部１２ａの折れ線Ｃ１０の方向に対する角度（鋭角）は、辺部１２ｅの折れ線Ｃ１０の方向に対する角度（鋭角）よりも若干小さく形成されている。辺部１２ｃの左右方向の長さは、差込み片部１００（後述）の辺部１００ｆの左右方向の幅よりも僅かに小さく形成されている。
【００５９】
辺部１２ｂは、辺部１２ａと辺部１２ｃ間のアールを形成し、辺部１２ｄは、辺部１２ｃと辺部１２ｅ間のアールを形成している。
【００６０】
辺部１２ｃの左右方向の長さは、差込み片部１００の辺部１００ｆの左右方向の長さＭ１００ｆの略３／５に形成されている。
【００６１】
辺部１０ｄは、切欠部Ｋ２ｂを構成する辺部７０ｄよりも左右方向に短く形成され、左右方向に辺部７０ｄの長さの略１／３程度の長さに形成されている。また、辺部１０ｄは、辺部１０ｂよりも左右方向に長く形成されている。
【００６２】
辺部１０ｅは、折れ線Ｃ１０ｂの左側面側の端部から下方に形成された切込みＪ２により形成された部分と、切込みＪ２により形成された部分の延長線上に上方に形成された部分とを有し、全体に上下方向に短く形成されている。辺部１０ｅは、辺部１０ａと左右線対称に形成されている。
【００６３】
以上のように、折れ線Ｃ１０ａと折れ線Ｃ１０ｂ間には、辺部１０ａ〜１０ｅが形成され、辺部１０ａ、１０ｂにより突状部１４ａが形成され、辺部１０ｅ、１０ｄにより突状部１４ｂが形成され、突状部１４ａと突状部１４ｂの間には、横長の略台形形状の切欠部Ｋ１が形成されている。
【００６４】
なお、切欠部Ｋ１の左右方向の長さ（辺部１０ｃの左側面側の端部から右側面側の端部間の長さ）は、
次に、正面フラップ７０の切欠部Ｋ２について詳述する。正面フラップ７０においては、正面部１０との折れ線Ｃ１０ａ、Ｃ１０ｂ間に、切欠部Ｋ２が形成されている。
【００６５】
切欠部Ｋ２は、正面視において左寄りの切欠部（第１切欠き構成部）Ｋ２ａと、切欠部Ｋ２ａより連設され切欠部Ｋ２の右寄りに形成された切欠部（第２切欠き構成部）Ｋ２ｂから構成されている。切欠部Ｋ２ａはその左右方向の長さＭＫ２ａが切欠部Ｋ２全体の左右方向の長さＭＫ２の略１／４に形成されている。また、切欠部Ｋ２ｂはその左右方向の長さＭＫ２ｂが切欠部Ｋ２全体の左右方向長さＭＫ２の略３／４に形成されている。つまり、切欠部Ｋ２ａの左右方向の長さＭＫ２ａは、切欠部Ｋ２ｂの左右方向の長さＭＫ２ｂよりも短く形成されている。また、正面フラップ７０の前後方向（正面フラップ７０の先端と基端間の方向で、折れ線Ｃ１０に対して直角の方向）における切欠部Ｋ２ｂの長さは、正面フラップ７０の前後方向における切欠部Ｋ２ａの長さの略１／３に形成されている。そして、切欠部Ｋ２の左右方向の長さＭＫ２は、後述する差込み片部１００の左右方向の長さＭ１００（最大長さ（すなわち、辺部１００ｉと辺部１００ｃ間の長さ）より若干長く形成されている。これにより、差込み片部１００を切欠部Ｋ２に挿入することができる。
【００６６】
すなわち、折れ線Ｃ１０ａの右側面側の端部位置からは、前後方向に形成された直線状の辺部（第１端部辺部、第１辺部）７０ａと、辺部７０ａの背面側（正面フラップ７０の先端側）の端部から連設され、折れ線Ｃ１０の方向と平行に右側面側に向けて形成された直線状の辺部（左右方向辺部、第２辺部）７０ｂと、辺部７０ｂの右側面側の端部から連設され、斜め正面側（正面側は正面フラップ７０の基端側である）に形成された直線状の辺部（第３辺部）７０ｃと、辺部７０ｃの右側面側の端部から連設され、折れ線Ｃ１０の方向と平行に形成された直線状の辺部（左右方向辺部、第４辺部）７０ｄと、辺部７０ｄの右側面側の端部から正面側に折れ線Ｃ１０の方向に対して直角方向に形成された辺部（第２端部辺部、第５辺部）７０ｅとが形成され、辺部７０ａは、折れ線Ｃ１０ａの右側面側の端部と連設され、辺部７０ｅは、折れ線Ｃ１０ｂの左側面側の辺部と連設されている。
【００６７】
ここで、辺部７０ａの長さは、辺部７０ｅよりも長く形成され（具体的には、辺部７０ａの長さは、差込み片部１００の厚みの略４倍に形成されている）、切欠部Ｋ２ａの前後方向の長さ（第１の幅）ＮＫ２ａは、切欠部Ｋ２ｂの前後方向の長さ（第２の幅）ＮＫ２ｂよりも長く形成されている（具体的には、長さＮＫ２ａは、長さＮＫ２ｂの略３倍に形成されている）。よって、切欠部Ｋ２ａには、差込み片部１００の角部１０４を挿入しやすくなっている。また、長さＮＫ２ｂは、差込み片部１００の厚みよりも長く形成されている。長さＮＫ２ａと長さＮＫ２ｂは、正面フラップ７０の先端と基端間の方向で左右方向に対する直角方向である先端基端間方向の幅である。
【００６８】
また、切欠部Ｋ２ａにおいて、長さＭＫ２ａは、長さＮＫ２ａの略３．５倍に形成され、また、切欠部Ｋ２ｂにおいて、長さＭＫ２ｂは、長さＮＫ２ｂの略３６倍に形成されている。
【００６９】
正面フラップ７０を正面部１０に対して背面側に直角に折り曲げた状態では、図３に示すように、切欠部Ｋ２は、平面視において、正面側が直線状に形成され、前後方向には、切欠部Ｋ２ａが、切欠部Ｋ２ｂよりも幅広に形成されている。
【００７０】
また、辺部７０ｃの左側面側の端部（辺部７０ｂ側の端部）７０ｃＬは、辺部１０ｃの左側面側の端部（辺部１２ａの左側面側の端部）１０ｃＬよりも右側面側にあり、辺部７０ｃの左側面側の端部７０ｃＬは、辺部１２ｃの左側面側の端部１２ｃＬと左右方向に同一の位置（略同一の位置としてもよい）に形成されている。これにより、切欠部Ｋ２ａの領域と切欠部Ｋ１の領域とが左右方向において重なっており、これにより、切欠部Ｋ２ａに差込み片部１００の角部１０４を挿入しやすくなっている。辺部７０ｃは、第２の側にいくほど正面フラップの基端側となるように左右方向に対して傾斜している。
【００７１】
また、包装箱Ａの展開状態では、正面部１０の辺部１０ｂと正面フラップ７０の辺部７０ｂは互いに平行に間隔を介して対向して形成され、正面部１０における辺部１２ａと正面フラップ７０における辺部７０ｃとは互いに略平行に間隔を介して対向して形成され、正面部１０における辺部１２ｃと正面フラップ７０における辺部７０ｄは互いに略平行に間隔を介して対向して形成され、正面部１０における辺部１０ｂと正面フラップ７０における辺部７０ｄとは、直線状の切込みＪ３を介して隣接している。
【００７２】
次に、差込み片部１００及び開口部１１０について詳述する。差込み片部１００は、その先端の辺部１００ｆが蓋部９０の上端の辺部に対してやや傾斜した略台形状に形成されている。
【００７３】
差込み片部１００は、蓋部９０の先端側の辺部９０ａにおける左右方向の略中央領域に設けられている（少なくとも蓋部９０の辺部９０ａの左右方向の中央位置は、差込み片部１００の左右方向における左側面側の端部から右側面側の端部までの範囲にある）。
【００７４】
また、差込み片部１００は、辺部９０ａに対して直角に形成された直線状の辺部１００ａと、辺部１００ａの辺部９０ａとは反対側の端部から連設され、左側面側（図４では右側）で辺部９０ａの方向に対して傾斜した方向に形成された直線状の辺部１００ｂと、辺部１００ｂの辺部１００ａとは反対側の端部から連設された略円弧状の辺部１００ｃと、辺部１００ｃの辺部１００ｂとは反対側の端部から連設され、右側面側（図４では左側）で辺部９０ａの方向に対して傾斜した方向に形成された直線状の辺部（傾斜辺部、第１の側形成辺部）１００ｄと、辺部１００ｄの辺部１００ｃとは反対側の端部から連設された略円弧状の辺部１００ｅと、辺部１００ｅの辺部１００ｄとは反対側の端部から連設され、右側面側（図４では左側）で辺部９０ａの方向に対して傾斜した方向に形成された直線状の辺部（第２の側形成辺部）１００ｆと、辺部１００ｆの辺部１００ｅとは反対側の端部から連設された略円弧状の辺部１００ｇと、辺部１００ｇの辺部１００ｆとは反対側の端部から連設され、右側面側（図４では左側）で辺部９０ａの方向に対して傾斜した方向に形成された直線状の辺部１００ｈと、辺部１００ｈの辺部１００ｇとは反対側の端部から連設され、辺部９０ａに対して直角に形成された直線状の辺部１００ｉとを有している。
【００７５】
辺部１００ｂは、辺部１００ａ側から辺部１００ｃ側にいくに従い（つまり、左側面側にいくに従い）辺部９０ａとの距離が長くなるように、辺部９０ａに対して傾斜している。また、辺部１００ｄは、辺部１００ｃ側から辺部１００ｅ側にいくに従い（つまり、右側面側にいくに従い）辺部９０ａとの距離が長くなるように、辺部９０ａに対して傾斜している。また、辺部１００ｆは、辺部１００ｅ側から辺部１００ｇ側にいくに従い（つまり、右側面側にいくに従い）辺部９０ａとの距離が短くなるように、辺部９０ａに対して傾斜している。また、辺部１００ｈは、辺部１００ｇ側から辺部１００ｉ側にいくに従い（つまり、右側面側にいくに従い）辺部９０ａとの距離が短くなるように、辺部９０ａに対して傾斜している。
【００７６】
また、辺部１００ｃは、辺部１００ｂと辺部１００ｄの角部にアールを形成しており（辺部１００ｂは辺部１００ｃの辺部１００ｂ側の端部における接線をなし、辺部１００ｄは辺部１００ｃの辺部１００ｄ側の端部における接線をなす）、辺部１００ｅは、辺部１００ｄと辺部１００ｆの角部にアールを形成しており（辺部１００ｄは辺部１００ｅの辺部１００ｄ側の端部における接線をなし、辺部１００ｆは辺部１００ｅの辺部１００ｆ側の端部における接線をなす）、辺部１００ｇは、辺部１００ｆと辺部１００ｈの角部にアールを形成している（辺部１００ｆは辺部１００ｇの辺部１００ｆ側の端部における接線をなし、辺部１００ｈは辺部１００ｇの辺部１００ｈ側の端部における接線をなす）。
【００７７】
ここで、辺部１００ａの長さＮ１００ａは、差込み片部１００を蓋部９０に対して直角に折曲した状態（蓋部９０の内側に向けて折曲した状態）で、蓋部９０の内側の面と辺部１００ｂ間に正面フラップ７０の辺部７０ａの左側面側の領域が挿入できるだけの長さに形成されている。
【００７８】
また、辺部１００ａと辺部１００ｂと辺部９０ａ（特に辺部９０ａにおける辺部１００ｂと対向した部分）とにより切欠部（係合用切欠部）Ｋ３が形成されている。この切欠部Ｋ３は、その開口側が奥側よりも幅広となるように形成され、辺部１００ｂの左右方向の長さＭ１００ｂ（切欠部Ｋ３の左右方向の長さとしてもよい）は、差込み片部１００の左右方向の長さＭ１００の略１／６に形成されている。
【００７９】
また、差込み片部１００には、辺部１００ｂと辺部１００ｃと辺部１００ｄとにより左側面側に突出した突状部（係合用突状部）１０２が設けられている。突状部１０２は、差込み片部１００において辺部１００ａよりも左側面側の部分である。辺部１００ｂと辺部１００ｄは、鋭角（具体的には、略５０〜６０度）の角度をなしている。なお、辺部１００ｄは、辺部９０ａの方向に対しては略４５度の角度をなしている。
【００８０】
また、差込み片部１００には、辺部１００ｅの位置が角部（先端側角部）１０４となり、角部１０４は、辺部１００ｄと辺部１００ｆ間の角部であるといえる。角部１０４は、差込み片部１００の先端側（蓋部９０側とは反対側）の斜め左側面側に突出している。辺部１００ｄと辺部１００ｅは、鈍角（具体的には、１２０〜１４０度（好適には、１２５〜１３５度））の角度をなしている。
【００８１】
また、差込み片部１００には、辺部１００ｇの位置が角部１０６となり、角部１０６は、辺部１００ｆと辺部１００ｈ間の角部であるといえる。角部１０６は、差込み片部１００の先端側の斜め右側面側に突出している。辺部１００ｆと辺部１００ｈは、鈍角（具体的には、１２５〜１４５度（好適には、１３０〜１４０度））の角度をなしている。
【００８２】
辺部１００ｆの左右方向の長さＭ１００ｆは、辺部７０ａから辺部１０ｃの右側面側の端部１０ｃＲまでの左右方向における長さＭ１０よりも短く形成されている。
【００８３】
また、辺部１００ｈの左右方向に対する角度は、３５〜５５度（好適には、４０〜５０度）となっている。
【００８４】
また、蓋部９０には辺部１００ａと辺部１００ｉの延長線上に短い切込みが形成され、これにより、差込み片部１００が蓋部９０に対して十分折り曲がるようになっている。
【００８５】
また、左右方向の位置関係としては（つまり、蓋部９０の左側面側の辺部の左右方向の位置を正面部１０の左側面側の辺部の左右方向の位置に一致させ、蓋部９０の右側面側の辺部の左右方向の位置を正面部１０の右側面側の辺部の左右方向の位置に一致させた場合の左右方向の位置関係）、図６に示すように以下のようになる。すなわち、辺部１００ａの位置は、辺部７０ａに一致（略一致でもよい）し、突状部１０２は、辺部７０ａよりも左側面側に位置する。また、角部１０４は、切欠部Ｋ２ａの領域（左右方向の領域）に位置し（つまり、蓋部９０を閉じる方向に回動させて、差込み片部１００を切欠部Ｋ２に向けて下降させると、角部１０４が切欠部Ｋ２ａ内に入り込む）、角部１０６は、切欠部Ｋ１の領域（左右方向の領域）における右側領域に位置する。また、辺部７０ａの位置は、辺部１００ｄにおける辺部１００ｃ側の端部から辺部１００ｅ側の端部までの途中位置（辺部１００ｄにおける左右方向の中間位置よりも右側面側の位置）となる。
【００８６】
また、開口部１１０は、左右方向には、差込み片部１００の領域（具体的には、左右方向に、辺部１００ａから辺部１００ｉまでの領域）に形成されている。つまり、開口部１１０は、蓋部９０の先端側の辺部９０ａにおける左右方向の略中央領域に設けられている（少なくとも蓋部９０の辺部９０ａの左右方向の中央位置は、開口部１１０の左右方向における左側面側の端部から右側面側の端部までの範囲にある）。
【００８７】
また、開口部１１０は、包装箱Ａの展開状態では、方形状（略方形状としてもよい）に形成されている。すなわち、開口部１１０は、蓋部９０に形成された切欠部１１０ａと差込み片部１００に形成された切欠部１１０ｂとにより形成され、切欠部１１０ａは、方形状の切欠部であり（厳密には、切欠部１１０ａの奥側の２つの角部にアールが形成されている）、切欠部１１０ｂが、横長長方形状の切欠部であり、切欠部１１０ｂの左側面側の辺部は、切欠部１１０ａの左側面側の辺部の延長線上にあり、切欠部１１０ｂの右側面側の辺部は、切欠部１１０ａの右側面側の辺部の延長線上にある。切欠部１１０ａと切欠部１１０ｂとを対向させて開口部１１０が形成されている。
【００８８】
次に、本発明の使用状態について説明する。まず、包装箱Ａに被収納物を収納するには、蓋部９０を外側に開いた状態にするとともに、正面フラップ７０と横フラップ８２、８４を外側に開いた状態（又は立設した状態）として、包装箱Ａ内に被収納物を収納する。
【００８９】
次に、包装箱Ａを閉状態にするには、正面フラップ７０と横フラップ８２、８４をスリーブ状部５に対して内側に折り曲げた状態で、蓋部９０を正面部１０側に回動させ、差込み片部１００を蓋部９０に対して内側に折曲した状態で、差込み片部１００の先端を切欠部Ｋ２の上方に位置させ、その後、差込み片部１００を切欠部Ｋ２に導入する。
【００９０】
すると、角部１０４は、左右方向において、切欠部Ｋ２ａの領域に対応するので、角部１０４は切欠部Ｋ２ａに入り込む。切欠部Ｋ２ａは、上記のように幅広に形成されているので、角部１０４を容易に切欠部Ｋ２ａ内に導入させることができる。
【００９１】
その後、蓋部９０を下方に回動させて差込み片部１００を下降させていくと、辺部１００ｆが切欠部Ｋ２内に侵入しようとするが（図８参照）、その際、差込み片部１００の辺部１００ｆが辺部７０ｃに当接した場合でも、辺部７０ｃが左右方向に対して傾斜して形成され、辺部７０ｃは幅の狭い切欠部Ｋ２ｂに向かって形成されているので、辺部１００ｆは、この辺部７０ｃに案内されて切欠部Ｋ２ｂに導かれる。特に、正面フラップ７０は、実際には、ブランク（例えば、紙）の復元しようとする力により、正面部１０に対して斜め上方（背面側斜め上方）に傾斜しており、辺部１００ｆが辺部７０ｃの当接した段階では、正面部１０の上端と蓋部９０の先端間には間隔が形成されているので、正面フラップ７０は斜め上方に傾斜しており、辺部７０ｃも実際には前後方向（左右方向及び上下方向に対する直角の方向）にも斜めに傾斜していて、辺部１００ｆを辺部７０ｃに当接させながら辺部７０ｃ沿って下方に（つまり、正面部１０側に）スライドさせることにより、幅狭の切欠部Ｋ２ｂに導きやすい。また、辺部７０ｃは、第２の側にいくほど正面フラップの基端側となるように左右方向に対して傾斜しているので、辺部１００ｆが辺部７０ｃに沿ってスライドする際に、辺部７０ｃと辺部７０ｄの角部に辺部１００ｆが引っ掛かるのを防止でき、差込み片部１００を切欠部Ｋ２に導きやすい。また、辺部１００ｆが辺部７０ｃに沿って正面部１０側にスライドさせた場合でも、角部１０４が突状部１４ａに接触して、正面部１０側へのスライドが遮られるので、確実に辺部１００ｆが切欠部Ｋ２に進入する。なお、辺部１００ｆは、辺部９０ａの方向に対して傾斜しているので、辺部７０ｃに当接しやすく、辺部７０ｃに沿ってスライドしやすい。
【００９２】
以上のようにして、差込み片部１００の先端は、正面側の面が正面部１０の内側の面（特に、突状部１４ａの内側の面）に位置し、背面側の面が辺部７０ｄの正面側に位置した状態となり（具体的には、差込み片部１００の先端は、突状部１４ａの内側の面に接するとともに、辺部７０ｄの正面側に接する）、その状態で差込み片部１００をさらに下降させることにより、角部１０６が切欠部Ｋ２ｂ内に進入していく。角部１０６は、高さ方向において、切欠部Ｋ２の位置に到達した際には、左右方向において、辺部７０ｄの左側面側の端部から切欠部Ｋ１の右側面側の端部までの範囲にある。
【００９３】
ここで、正面部１０には切欠部Ｋ１が形成されているので、辺部１００ｆや角部１０６が切欠部Ｋ２ｂ内に入り込む際に、辺部１００ｆや角部１０６が正面部１０の上辺に引っ掛かって切欠部Ｋ２ｂに入りにくくなることがない。
【００９４】
つまり、仮に切欠部Ｋ１が設けられていない場合には、辺部１０ｃが設けられないので、辺部１０ｄが辺部１０ｂまで形成され、辺部７０ｄの正面側には辺部１０ｄ（辺部１０ｂまで伸びた辺部１０ｄ）のみが対向して辺部７０ｄの正面側には辺部１０ｄとの間に狭い隙間しか存在しないことになり、差込み片部１００の先端が辺部１０ｄ（辺部１０ｂまで伸びた辺部１０ｄ）に引っ掛かってしまい、辺部７０ｄと辺部１０ｄ間に容易には挿入することができない。特に、辺部１００ｆが切欠部Ｋ２ｂ内に進入しようとする段階では、差込み片部１００は下側が正面側に傾斜しており（つまり、正面部１０と平行又は平行に近い状態になっていない）、特に、辺部１００ｆが辺部７０ｃをスライドしながら正面側に移動する際には、差込み片部１００の下側が正面側に傾斜しているので、その点でも容易に切欠部Ｋ２ｂに挿入することができない。
【００９５】
本実施例では、切欠部Ｋ１が設けられているので、辺部１００ｆが切欠部Ｋ１における辺部１２ｃの高さ位置に到達する段階では、差込み片部１００は正面部１０の内側の面に沿った状態（つまり、正面部１０と平行又は平行に近い状態）となっているので、差込み片部１００は正面部１０とほぼ平行になっており、差込み片部１００をそのまま下降させても辺部１００ｆや角部１０６が切欠部Ｋ１の辺部（辺部１２ａ〜１２ｃ）に引っ掛かることがない。
【００９６】
その後、角部１０６が辺部７０ｄの位置に達した後に、さらに差込み片部１００が下降すると、辺部１００ｄが切欠部Ｋ２ａの左端の辺部７０ａに当接する。辺部１００ｄは、左右方向に対して辺部１００ｃ側が上方となるように傾斜して形成されているので、差込み片部１００を下降させるに従い、辺部１００ｄが辺部７０ａに当接しながら下降し、これにより、差込み片部１００が正面部１０及び正面フラップ７０に対して右側面側にスライドする。差込み片部１００が右側面側にスライドするので、蓋部９０の先端側の辺部９０ａも右側面側にスライドし、蓋部９０の右側面側の辺部９０ｂは右側面部２０の上辺に対して傾斜し、蓋部９０の左側面側の辺部９０ｃは左側面部３０の上辺に対して傾斜して、包装箱Ａの一部が歪むことになる。
【００９７】
そして、辺部１００ｄが辺部７０ａに当接した状態で、差込み片部１００が右側面側にスライドしながら下降していき、突状部１０２が辺部７０ａを通過すると、包装箱Ａが歪んだ状態から復帰しようとして、図９に示すように、差込み片部１００が蓋部９０の先端側の辺部９０ａとともに辺部７０ａに対して左側面側に移動し、切欠部Ｋ３内に正面フラップ７０における辺部７０ａの左側面側に辺部７０ａに隣接する領域である係合領域７０Ｒが嵌合して、これにより、突状部１０２が係合領域７０Ｒとが係合して（つまり、差込み片部１００と正面フラップ７０とが係合する）、包装箱Ａが閉状態でロックされた状態となる。包装箱Ａが閉状態でロックされた状態では、辺部７０ａと辺部１００ａとは接触しており、また、蓋部９０の右側面側の辺部９０ｂは右側面部２０の上辺と平行な状態に復帰し、蓋部９０の左側面側の辺部９０ｃは左側面部３０の上辺と平行な状態に復帰する。
【００９８】
なお、辺部１００ｂは辺部９０ａの方向に対して傾斜しており、切欠部Ｋ３は、その開口側が奥側よりも幅広となるように形成されているので、辺部７０ａに隣接する係合領域７０Ｒが切欠部Ｋ３に入り込みやすい。
【００９９】
また、切欠部Ｋ２の左右方向の長さは、差込み片部１００の左右方向の長さＭ１００より長く形成されているので、差込み片部１００が右側面側にスライドしながら切欠部Ｋ２内に入り込む際に支障とはならない。
【０１００】
包装箱Ａが閉状態でロックされた状態では、突状部１４ａの背面側と突状部１４ｂの背面側に差込み片部１００が位置し、突状部１４ａの全領域の背面側に差込み片部１００が存在し、突状部１４ｂの一部の背面側に差込み片部１００が存在している。このように、突状部１４ａ、１４ｂの背面側に差込み片部１００が存在するので、包装箱Ａの閉状態でロックされた状態を強固に保つことができる。なお、突状部１４ａの少なくとも一部の背面側と突状部１４ｂの少なくとも一部の背面側に差込み片部１００が位置すればよい。
【０１０１】
次に、包装箱Ａが閉状態でロックされた状態から蓋部９０を開状態にするには、図１０に示すように、開口部１１０に指を引っ掛けて、蓋部９０を開口部Ｋに対して右側面側にスライドさせる。すると、突状部１０２の左側面側の端部が辺部７０ａの位置まで到達すると（図１１参照）、突状部１０２と係合領域７０Ｒの係合が解除され（つまり、ロックが解除される）、すると、蓋部９０が水平方向に対して傾斜した状態に復帰しようとするので、差込み片部１００が開口部Ｋに対して上昇し、図１２に示すように、差込み片部１００が開口部Ｋから完全に離脱するか、あるいは、図８に示すように、角部１０４が突状部１４ａに接触した状態にまで上昇する。差込み片部１００が開口部Ｋから完全に離脱した場合には、そのまま蓋部９０を回動させて開状態とすればよく、また、角部１０４が突状部１４ａに接触している場合には、蓋部９０を上方に回動させることにより、開口部Ｋから離脱させることができるので、その後は、蓋部９０を回動させて開状態とすればよい。
【０１０２】
また、正面フラップ７０は、その先端が背面側斜め上方になるように復帰しようと回動するので、突状部１０２と係合領域７０Ｒの係合が解除されると、正面フラップ７０が蓋部９０を下方から押し上げることにより、蓋部９０を回動させることができる。
【０１０３】
なお、蓋部９０や正面フラップ７０の復帰力が弱く、突状部１０２と係合領域７０Ｒの係合を解除するのみでは蓋部９０が上昇しない場合には、係合が解除された状態で蓋部９０を上方に回動させればよい。
【０１０４】
なお、開口部１１０に指を引っ掛けて蓋部９０をスライドさせる際に、他方の手は包装箱Ａにおける蓋部９０と差込み片部１００以外の箇所を支持するのが好ましい。その際、正面フラップ７０の正面部１０側の領域における左右いずれかの角部を他方の指で押さえる場合には、正面フラップ７０を押さえている状態では、正面フラップ７０は背面側が斜め上方となるように回動できないが、正面フラップ７０を押さえる手（他方の手）を正面フラップ７０から離すことにより、正面フラップ７０が回動して、蓋部９０を下方から押し上げることが可能となる。
【０１０５】
また、辺部１００ｃ、１００ｅ、１００ｇはアールを構成するので、差込み片部１００を開口部Ｋ内に差し込む際や、差込み片部１００を開口部Ｋから離脱させる際に、辺部１００ｃ、１００ｅ、１００ｇが形成されない場合に比べて、開口部Ｋにおけるいずれかの部位に引っ掛かりにくくすることができ、差込み片部１００の開口部Ｋへの挿脱を円滑に行なうことができる。
【０１０６】
以上のように、本実施例の包装箱Ａによれば、蓋部９０を横方向にスライドさせるのみで、包装箱Ａのロックを解除させることができ、ロックが解除されたら蓋部９０を上方に回動させればよいので、小さな力でも容易に蓋部を開けることができる。
【０１０７】
また、蓋部９０を閉状態にする際に、差込み片部１００と蓋部９０の先端側の辺部９０ａを横方向にスライドさせることにより歪んだ包装箱Ａが復帰する力を利用して、突状部１０２と係合領域７０Ｒを係合させるので、差込み片部１００を下降させるのみで自然にロックが行われ、よって、蓋部の閉状態を確実に維持させることができる。
【０１０８】
なお、上記の説明において、開口部Ｋは、切欠部Ｋ１と切欠部Ｋ２とにより構成されるとして説明したが、切欠部Ｋ１の構成を省略して、切欠部Ｋ２のみにより開口部Ｋを構成してもよい。その場合には、突状部１４ａと突状部１４ｂ間の領域は、突状部１４ａ及び突状部１４ｂの高さと同じ高さの突状部が形成され、図１３に示すように、辺部１０ａと辺部１０ｅ間は辺部１０ａや辺部１０ｅの延長線により構成され、１つの突状部（正面部突状部）１４ｃが形成され、突状部１４ｃの上辺は、１つの辺部１０ｆにより構成されることになる。このように切欠部Ｋ１が形成されていない場合には、上記のような問題点はあるが、突状部１０２と係合領域７０Ｒの係合と解除は上記のように行なうことができる。
【０１０９】
また、切欠部Ｋ１の構成を省略する場合に、折れ線Ｃ１０ａ、Ｃ１０ｂから上方に突出した突状部を設けずに、正面部１０の上辺で開口部Ｋに沿った辺部も折れ線Ｃ１０ａ、Ｃ１０ｂの延長線としてもよい。この場合には、正面部１０の上辺は、左側面側の端部から右側面側に端部まで１つの直線状に形成されることになる。
【０１１０】
また、切欠部Ｋ１を設ける場合でも、切欠部Ｋ１の左右両側には突状部１４ａ、１４ｂを設けずに、折れ線Ｃ１０ａ、Ｃ１０ｂの延長線としてもよい。つまり、切欠部Ｋ１の左側面側の領域で開口部Ｋに沿った領域の上辺は、折れ線Ｃ１０ａの延長線上にあり、切欠部Ｋ１の右側面側の領域で開口部Ｋに沿った領域の上辺は、折れ線Ｃ１０ｂの延長線上にあることになる。
【０１１１】
また、上記の説明では、切欠部Ｋ２は、幅広の切欠部Ｋ２ａと幅狭の切欠部Ｋ２ｂとにより構成されるとしたが、図１４に示すように、切欠部Ｋ２全体を切欠部Ｋ２ｂの幅で構成してもよい。この場合には、図３における辺部７０ｄの左側面側の端部を辺部７０ａまで延長して切欠部Ｋ２を辺部７０ａと辺部７０ｆと辺部７０ｅにより構成する。辺部７０ｆは、図３における辺部７０ｄと辺部７０ｄを左側面側に延長した辺部である。
【０１１２】
また、上記の説明において、蓋部９０から差込み片部１００にかけて開口部１１０が設けられているとしたが、開口部１１０を省略した構成として、蓋部９０を開ける際には、蓋部９０を直接保持してスライドさせるようにしてもよい。また、開口部１１０の構成を省略するとともに、蓋部９０の上面の先端側の領域で、左右方向において差込み片部が連設された領域に他の方形状の片部（例えば、開口部１１０の形状・大きさの片部）を貼り付けて、突状部を形成し、その突状部を指係止部として、蓋部９０を横方向にスライドできる構成としてもよい。
【０１１３】
また、正面部１０と正面フラップ７０と蓋部９０と差込み片部１００の構成は、左右線対称の構成としてもよい。つまり、上記の説明では、左側面側を第１の側とし、右側面側を第２の側として説明したが、左側面側を第２の側とし、右側面側を第１の側としてもよい。その場合には、包装箱Ａのロックを解除する際には、蓋部９０を左側面側にスライドさせることになる。
【符号の説明】
【０１１４】
Ａ  包装箱
Ｋ  開口部
Ｋ１  切欠部
Ｋ２、Ｋ２ａ、Ｋ２ｂ、Ｋ３  切欠部
Ｊ１、Ｊ２、Ｊ３  切込み
３  箱本体部
５  スリーブ状部
１０  正面部
１０ａ、１０ｂ、１０ｃ、１０ｄ、１０ｅ、１０ｆ、１２ａ、１２ｂ、１２ｃ、１２ｄ、１２ｅ、７０ａ、７０ｂ、７０ｃ、７０ｄ、７０ｅ、７０ｆ、１００ａ、１００ｂ、１００ｃ、１００ｄ、１００ｅ、１００ｆ、１００ｇ、１００ｈ、１００ｉ  辺部
２０  右側面部
３０  左側面部
４０  背面部
５０  糊代部
６０  底面部
６２、６４、６６、６８  片部
７０  正面フラップ
７０Ｒ  係合領域
８０  上面部
８２、８４  横フラップ
９０  蓋部
１００  差込み片部
１０２  突状部
１０４、１０６  角部
１１０  開口部
１１０ａ、１１０ｂ  切欠部
【図１】
2016097985.tif 000003
【図２】
2016097985.tif 000004
【図３】
2016097985.tif 000005
【図４】
2016097985.tif 000006
【図５】
2016097985.tif 000007
【図６】
2016097985.tif 000008
【図７】
2016097985.tif 000009
【図８】
2016097985.tif 000010
【図９】
2016097985.tif 000011
【図１０】
2016097985.tif 000012
【図１１】
2016097985.tif 000013
【図１２】
2016097985.tif 000014
【図１３】
2016097985.tif 000015
【図１４】
2016097985.tif 000016
【図１５】
2016097985.tif 000017
【図１６】
2016097985.tif 000018